(57)【要約】【課題】氷上での制動性能と、雪上での制動性能と、排水性能とをバランス良く改善した空気入りタイヤを提供する。【解決手段】周方向細溝１８が、０．０６本／ｍｍ以上０．２本／ｍｍ以下のタイヤ幅方向密度で配設されている。幅方向細溝２２が、各小ブロック列のタイヤ幅方向両端部からタイヤ周方向の同じ向きに延在する第１の部分２２１と第２の部分２２２とを有するとともに、第１の部分２２１及び第２の部分２２２の双方と連なる第３の部分２２３を有する。第１の部分２２１と第２の部分２２２とが、４０°以上１６０°以下の角度をなす。第３の部分２２３が、第１の部分２２１及び第２の部分２２２の延長領域よりも、タイヤ周方向の少なくともいずれかの向きにおいて突出した領域を有する。【選択図】図２
2015048045.tif 000002
【特許請求の範囲】
【請求項１】
周方向主溝を有するとともに、複数の周方向細溝と、前記周方向細溝と交差する複数の幅方向細溝と、により小ブロック列が区画形成された空気入りタイヤにおいて、
前記周方向細溝が、０．０６本／ｍｍ以上０．２本／ｍｍ以下のタイヤ幅方向密度で配設され、
前記幅方向細溝が、各小ブロック列のタイヤ幅方向両端部からタイヤ周方向の同じ向きに延在する第１の部分と第２の部分とを有するとともに、前記第１の部分及び前記第２の部分の双方と連なる第３の部分を有し、
前記第１の部分と前記第２の部分とが、４０°以上１６０°以下の角度をなし、
前記第３の部分が、前記第１の部分及び前記第２の部分の延長領域よりも、タイヤ周方向の少なくともいずれかの向きに突出した領域を有する
空気入りタイヤ。
【請求項２】
前記幅方向細溝が、０．０４本／ｍｍ以上０．３本／ｍｍ以下のタイヤ周方向密度で配設されている、請求項１に記載の空気入りタイヤ。
【請求項３】
前記第３の部分の面積が、４ｍｍ２以上４０ｍｍ２以下である、請求項１又は２に記載の空気入りタイヤ。
【請求項４】
前記第３の部分が、前記小ブロック列のタイヤ幅方向領域の中央部８０％の領域に存在する、請求項１から３のいずれか１項に記載の空気入りタイヤ。
【請求項５】
前記第３の部分について、タイヤ周方向最大寸法がタイヤ幅方向最大寸法以上である、請求項１から４のいずれか１項に記載の空気入りタイヤ。
【請求項６】
前記周方向細溝の溝幅は、１．０ｍｍ以上４．０ｍｍ以下ある、請求項１から５のいずれか１項に記載の空気入りタイヤ。
【請求項７】
前記幅方向細溝の溝幅は、１．０ｍｍ以上７．０ｍｍ以下である、請求項１から６のいずれか１項に記載の空気入りタイヤ。
【請求項８】
タイヤ周方向に隣接する前記小ブロック同士が、同一のタイヤ周方向領域を有する、請求項１から７のいずれか１項に記載の空気入りタイヤ。
【請求項９】
前記小ブロックの少なくともいずれかに、少なくとも１本のサイプが形成されている、請求項１から８のいずれか１項に記載の空気入りタイヤ。
【発明の詳細な説明】
【技術分野】
【０００１】
本発明は、氷上での制動性能等を改善した空気入りタイヤに関する。
【背景技術】
【０００２】
従来、スタッドレスタイヤについて、氷上性能（制動性能及び駆動性能）を改善した技術が知られている（例えば、特許文献１参照）。特許文献１に開示された空気入りタイヤは、複数のブロックを格子状に密集配置させたトレッドパターンを有する。
【先行技術文献】
【特許文献】
【０００３】
【特許文献１】国際公開第２０１０／０３２６０６号
【発明の概要】
【発明が解決しようとする課題】
【０００４】
一般に、溝によって区画形成されるブロックの形状に異方性を与えた場合には、特定の方向の外力に対する抗力のみが大きくなり、タイヤ性能のうち、特定の性能が改善される傾向にある。例えば、ブロックの形状にタイヤ周方向において異方性を与えることで、タイヤ周方向の外力に対する抗力を大きくした場合には、氷上での制動性能や雪上での制動性能が改善される。
【０００５】
また、ブロックを区画形成する溝の形状に異方性を与えた場合には、排水性能が改善される傾向にある。例えば、Ｖ字型のタイヤ幅方向溝を配設した場合には、この溝により区画形成されたブロックの最初に接地する側（踏み込み側）をＶ字の頂点とすることで、水を溝から効率的に排出して、排水性能を向上させることができる。
【０００６】
特許文献１に開示された空気入りタイヤについては、各ブロックの形状がいずれの方向においても異方性を有していない。このため、上記空気入りタイヤによっては、氷上での制動性能、雪上での制動性能及び排水性能がバランス良く発揮されるか不明である。
【０００７】
本発明は、上記事情に鑑みてなされたものであって、特に、氷上での制動性能と、雪上での制動性能と、排水性能とをバランス良く改善した、空気入りタイヤを提供することを目的とする。
【課題を解決するための手段】
【０００８】
本発明に係る空気入りタイヤは、周方向主溝を有するとともに、複数の周方向細溝と、上記周方向細溝と交差する複数の幅方向細溝と、により小ブロック列が区画形成された空気入りタイヤである。上記周方向細溝は、０．０６本／ｍｍ以上０．２本／ｍｍ以下のタイヤ幅方向密度で配設されている。上記幅方向細溝は、各小ブロック列のタイヤ幅方向両端部からタイヤ周方向の同じ向きに延在する第１の部分と第２の部分とを有するとともに、上記第１の部分及び上記第２の部分の双方と連なる第３の部分を有する。上記第１の部分と上記第２の部分とは、４０°以上１６０°以下の角度をなす。上記第３の部分は、上記第１の部分及び上記第２の部分の延長領域よりも、タイヤ周方向の少なくともいずれかの向きに突出した領域を有する。
【発明の効果】
【０００９】
本発明に係る空気入りタイヤでは、周方向細溝のタイヤ幅方向における配設密度について改良を加えるとともに、幅方向細溝の形状について改良を加えている。その結果、本発明に係る空気入りタイヤによれば、特に、氷上での制動性能と、雪上での制動性能と、排水性能とがバランス良く改善される。
【図面の簡単な説明】
【００１０】
【図１】図１は、本発明の実施の形態に係る空気入りタイヤのトレッド部を示す平面図である。
【図２】図２は、図１に示すトレッド部の丸囲み部分周辺を拡大して示す平面図である。
【図３】図３は、本発明の実施の形態に係る空気入りタイヤのトレッド部を示す平面図である。
【図４】図４は、図１又は図３に示す空気入りタイヤにおける、タイヤ周方向に隣り合う小ブロックＢ１、Ｂ１（Ｂ２、Ｂ２）の関係を示す平面図であり、（ａ）は小ブロック同士が同一のタイヤ周方向領域を有さない場合であり、（ｂ）は小ブロック同士が同一のタイヤ周方向領域を有する場合である。
【図５】図５は、図２に示す小ブロックＢ１について、サイプの配設態様を示す平面図であり、（ａ）はサイプがタイヤ幅方向に延在する例であり、（ｂ）はサイプが幅方向細溝に平行に延在する例である。
【発明を実施するための形態】
【００１１】
以下に、本発明に係る空気入りタイヤの実施の形態（以下に示す、基本形態及び付加的形態１から８）を、図面に基づいて詳細に説明する。なお、これらの実施の形態は、本発明を限定するものではない。また、上記実施の形態の構成要素には、当業者が置換可能かつ容易なもの、或いは実質的に同一のものが含まれる。さらに、上記実施の形態に含まれる各種形態は、当業者が自明の範囲内で任意に組み合わせることができる。
【００１２】
＜基本形態＞
以下に、本発明に係る空気入りタイヤについて、その基本形態を説明する。以下の説明において、タイヤ径方向とは、空気入りタイヤの回転軸と直交する方向をいい、タイヤ径方向内側とはタイヤ径方向において回転軸に向かう側、タイヤ径方向外側とはタイヤ径方向において回転軸から離れる側をいう。また、タイヤ周方向とは、上記回転軸を中心軸とする周り方向をいう。さらに、タイヤ幅方向とは、上記回転軸と平行な方向をいう。加えて、タイヤ赤道面ＣＬとは、空気入りタイヤの回転軸に直交するとともに、空気入りタイヤのタイヤ幅の中心を通る平面である。
【００１３】
[基本形態１]
基本形態１は、回転方向が指定された空気入りタイヤについての形態である。図１は、本発明の実施の形態に係る空気入りタイヤのトレッド部を示す平面図（接地したタイヤを真上から見た図）である。空気入りタイヤ１は、同図に示すように回転方向（車両が前進している状態でのタイヤ転動向き）が定められている。この空気入りタイヤ１では、図１に示す踏み込み側が蹴り出し側よりも先に接地する。空気入りタイヤ１のトレッド部１０は、ゴム材（トレッドゴム）からなり、空気入りタイヤ１のタイヤ径方向の最も外側で露出し、その表面が空気入りタイヤ１の輪郭となる。このトレッド部１０の表面は、空気入りタイヤ１を装着する車両（図示せず）が走行した際に路面と接触する面であるトレッド表面１２として形成されている。
【００１４】
トレッド表面１２には、図１に示すように、タイヤ周方向に延在する溝１４、１８（例えば、１８ａ、１８ｂ）と、タイヤ周方向に対して傾斜する溝２２（例えば、２２ａ、２２ｂ）とがそれぞれ設けられ、同図に示すトレッドパターンが形成されている。溝１４から２２の具体的構成は、以下のとおりである。
【００１５】
即ち、トレッド表面１２には、タイヤ赤道面ＣＬについて対称である２本の周方向主溝１４が設けられている。２本の周方向主溝１４の間及び各周方向主溝１４のタイヤ幅方向両外側には、周方向主溝１４に対して幅狭であってタイヤ周方向に延在する周方向細溝１８が複数配設されている。
【００１６】
また、トレッド表面１２には、２本の周方向主溝１４の間及び各周方向主溝１４のタイヤ幅方向両外側に、周方向主溝１４に対して幅狭であってタイヤ幅方向にジグザグに延在し、タイヤ幅方向の延在途中で周方向寸法が変化する幅方向細溝２２が複数配設されている。
【００１７】
以上により、図１に示す例では、複数の周方向細溝１８と、これら周方向細溝１８と交差する複数の幅方向細溝２２と、により、タイヤ幅方向に隣り合う複数の小ブロック列が形成されている。なお、本実施の形態においては、周方向細溝１８よりも幅広であって、略タイヤ周方向に延在する周方向太溝（図１に示すところでは周方向主溝１４）が存在する場合には、この周方向太溝間に区画形成された陸部をリブとみなすものとする。また、本実施の形態においては、幅方向細溝２２が配設されているタイヤ幅方向領域に、幅方向細溝２２よりも幅広であって、略タイヤ幅方向に延在する幅方向太溝（図１には存在しない）がさらに存在する場合には、上記周方向太溝間に区画形成されるとともに、幅方向太溝間に区画形成された陸部を、ブロックとみなすものとする。
【００１８】
また、本実施の形態において、周方向主溝１４の溝幅は、４．０ｍｍ以上とすることができる。ここで、溝幅とは、溝が延在する方向に垂直な方向における当該溝の最大寸法をいう。
【００１９】
このような前提の下、本実施の形態（基本形態１）においては、周方向細溝１８が０．０６本／ｍｍ以上０．２本／ｍｍ以下のタイヤ幅方向密度で配設されている。ここで、周方向細溝１８のタイヤ幅方向密度とは、図１に示す両接地端Ｅ同士の間のタイヤ幅方向領域における、タイヤ幅方向の単位長さ当たりの、周方向細溝１８の配設本数を意味する。
【００２０】
また、本実施の形態においては、幅方向細溝２２が、図２（図１に示すトレッド部の丸囲み部分周辺を拡大して示す平面図である）に示すように、各小ブロック列のタイヤ幅方向両端部からタイヤ周方向の同じ向きに延在する第１の部分２２１と第２の部分２２２とを有するとともに、第１の部分２２１及び第２の部分２２２の双方と連なる第３の部分２２３を有する。これにより、タイヤ幅方向に隣り合う各小ブロック列が、タイヤ周方向に連続する複数の小ブロックＢ１を含む。
【００２１】
ここで、本実施の形態においては、第１の部分２２１（第２の部分２２２）と第３の部分２２３との境界は、便宜的に、図２に示す点線の位置とする。
【００２２】
さらに、本実施の形態においては、第１の部分２２１と第２の部分２２２とが、４０°以上１６０°以下の角度をなしている。第１の部分２２１と第２の部分２２２とのなす角は、第１の部分２２１の延長部と第２の部分２２２の延長部とが交差する位置、即ち図２に示す頂点Ａにおける屈曲角とする。
【００２３】
加えて、本実施の形態においては、第３の部分２２３が、第１の部分２２１及び第２の部分２２２の延長領域よりも、タイヤ周方向の少なくともいずれかの向きに突出した領域、図２に示す例ではタイヤ周方向の蹴り出し側に突出した領域を有する。
【００２４】
（作用等）
本実施の形態に係る空気入りタイヤにおいては、周方向細溝１８を、０．０６本／ｍｍ以上のタイヤ幅方向密度で配設することで、小ブロックＢ１のタイヤ周方向長さをそのタイヤ幅方向長さに対して過度に小さくすることを抑制することができる。これにより、小ブロックＢ１のタイヤ周方向への倒れ込みを抑制して、タイヤ周方向の外力に対する抗力を十分に確保して、氷上での優れた制動性能及び雪上での優れた制動性能を発揮することができる。
【００２５】
一方、本実施の形態の空気入りタイヤにおいては、周方向細溝１８を、０．２本／ｍｍ以下のタイヤ幅方向密度で配設することで、小ブロックＢ１に形成されるタイヤ幅方向に延在するエッジ成分を十分に確保することができる。これにより、タイヤ周方向の外力に対する抗力を高め、ひいては氷上での優れた制動性能及び雪上での優れた制動性能を発揮することができる。
【００２６】
なお、周方向細溝１８のタイヤ幅方向配設密度を０．０８本／ｍｍ以上０．１２本／ｍｍ以下とすることで、上記効果をそれぞれさらに高いレベルで奏することができる。
【００２７】
また、本実施の形態の空気入りタイヤにおいては、幅方向細溝２２が、各小ブロック列のタイヤ幅方向両端部からタイヤ周方向の同じ向きに延在する第１の部分２２１と第２の部分２２２とを有するとともに、第１の部分２２１及び第２の部分２２２の双方と連なる第３の部分２２３を有することで、小ブロックＢ１の形状に、タイヤ周方向に関する異方性、を与えている。これにより、タイヤ周方向の外力に対する抗力を、その他の方向の外力に対する抗力と比べて大きくすることができ、ひいては氷上での優れた制動性能及び雪上での優れた制動性能を発揮することができる。
【００２８】
そして、小ブロックＢ１と同様に、幅方向細溝２２の特に第１の部分２２１及び第２の部分２２２に、タイヤ周方向に関する異方性を付与することで、幅方向細溝２２により区画形成された小ブロックＢ１の最後に接地する側（蹴り出し側）をＶ字の頂点とすることができる。これにより、水を幅方向溝２２から効率的に排出して、優れた排水性能を発揮することができる。
【００２９】
さらに、本実施の形態の空気入りタイヤにおいては、第１の部分２２１と第２の部分２２２とのなす角度を４０°以上とすることで、幅方向細溝２２により区画形成される小ブロックＢ１のエッジに、タイヤ幅方向のエッジ成分を十分に持たせている。これにより、タイヤ周方向の外力に対する抗力を大きくすることができ、ひいては氷上での優れた制動性能及び雪上での優れた制動性能を発揮することができる。
【００３０】
一方、第１の部分２２１と第２の部分２２２とのなす角度を１６０°以下とすることで、幅方向細溝２２により区画形成される小ブロックＢ１のエッジに、タイヤ周方向のエッジ成分を十分に持たせている。これにより、タイヤ幅方向の外力に対する抗力を大きくすることができ、ひいては氷上での優れた旋回性能及び雪上での優れた旋回性能を発揮することができる。
【００３１】
なお、第１の部分２２１と第２の部分２２２とのなす角度を、６０°以上１４０°以下とすることで、上記効果をそれぞれさらに高いレベルで奏することができる。
【００３２】
加えて、本実施の形態の空気入りタイヤにおいては、第３の部分２２３が、第１の部分２２１及び第２の部分２２２の延長領域よりも、タイヤ周方向の蹴り出し側に突出した領域を有する。これにより、小ブロックＢ１がタイヤ周方向に倒れ込んだ際にも、タイヤ周方向に隣り合う小ブロックＢ１、Ｂ１同士の間には、隙間が残存することで、十分な雪柱せん断力（タイヤパターンが雪を踏み固めて形成された雪柱をせん断する力）が確保され、雪上での優れた制動性能を発揮することができる。
【００３３】
なお、本実施の形態においては、図１に示すようにタイヤ周方向に隣り合う小ブロックＢ１、Ｂ１同士の間の、特にタイヤ幅方向中央部又はその近傍に隙間が残存することとなる。即ち、この隙間は周方向主溝１４や周方向細溝１８とは連通せずに、タイヤ周方向に隣り合う小ブロックＢ１、Ｂ１に囲まれることとなる。このため、他の状態（例えば、上記隙間が周方向主溝１４等に連通した状態）に比べて、雪柱せん断力を大幅に高めることができる。従って、本実施の形態の空気入りタイヤによれば、雪上での優れた制動性能を効率的に発揮することができる。
【００３４】
以上に示すように、本実施の形態に係る空気入りタイヤは、周方向細溝のタイヤ幅方向における配設密度について改良を加えるとともに、幅方向細溝の形状について改良を加えている。その結果、本実施の形態（基本形態１）に係る空気入りタイヤによれば、特に、氷上での制動性能と、雪上での制動性能と、排水性能とをバランス良く改善することができる。
【００３５】
なお、以上に示す、本実施の形態に係る空気入りタイヤは、図示しないが、従来の空気入りタイヤと同様の子午断面形状を有する。ここで、空気入りタイヤの子午断面形状とは、タイヤ赤道面ＣＬと垂直な平面上に現れる空気入りタイヤの断面形状をいう。本実施の形態の空気入りタイヤは、タイヤ子午断面視で、タイヤ径方向内側から外側に向かって、ビード部、サイドウォール部、ショルダー部及びトレッド部を有する。そして、上記空気入りタイヤは、例えば、タイヤ子午断面視で、トレッド部から両側のビード部まで延在して一対のビードコアの周りで巻回されたカーカス層と、上記カーカス層のタイヤ径方向外側に順次形成された、ベルト層及びベルト補強層とを備える。
【００３６】
また、本実施の形態の空気入りタイヤは、通常の各製造工程、即ち、タイヤ材料の混合工程、タイヤ材料の加工工程、グリーンタイヤの成型工程、加硫工程及び加硫後の検査工程等を経て得られるものである。本実施の形態の空気入りタイヤを製造する場合には、特に、加硫用金型の内壁に、図１に示すトレッドパターンに対応する凹部及び凸部を形成し、この金型を用いて加硫を行う。
【００３７】
[基本形態２]
基本形態２は、回転方向が指定されていない空気入りタイヤについての形態である。図３は、本発明の実施の形態に係る空気入りタイヤのトレッド部を示す平面図（接地したタイヤを真上から見た図）である。空気入りタイヤ２は、タイヤ赤道面ＣＬに対して点対称であるトレッドパターンを有する。図３に示す参照符号中、図１に示す参照符号と同一の参照符号については、図１に示す構成要素と同じ構成要素を示す。
【００３８】
図３に示す空気入りタイヤ２のトレッド部１１は、図１に示す基本形態１と同様に、ゴム材（トレッドゴム）からなり、空気入りタイヤ２のタイヤ径方向の最も外側で露出し、その表面が空気入りタイヤ２の輪郭となる。トレッド部１１の表面は、空気入りタイヤ２を装着する車両（図示せず）が走行した際に路面と接触する面であるトレッド表面１３として形成されている。
【００３９】
図３に示す例においても、複数の周方向細溝１８（例えば、溝１８ａ、１８ｂ）と、これら周方向細溝１８と交差する複数の幅方向細溝２２（例えば、２２ａ、２２ｂ）と、により、タイヤ幅方向に隣り合う複数の小ブロック列（小ブロックＢ１からなる小ブロック列、小ブロックＢ２からなる小ブロック列）が形成されている。
【００４０】
このような前提の下、本実施の形態（基本形態２）においても、周方向細溝１８が０．０６本／ｍｍ以上０．２本／ｍｍ以下のタイヤ幅方向密度で配設され、幅方向細溝２２が、各小ブロック列のタイヤ幅方向両端部からタイヤ周方向の同じ向きに延在する第１の部分２２１と第２の部分２２２とを有するとともに、第１の部分２２１及び第２の部分２２２の双方と連なる第３の部分２２３を有する。また、第１の部分２２１と第２の部分２２２とが、４０°以上１６０°以下の角度をなし、第３の部分２２３が、第１の部分２２１及び第２の部分２２２の延長領域よりも、タイヤ周方向の一方側に突出した領域を有する。
【００４１】
なお、小ブロックＢ１と小ブロックＢ２とは、大きさが同じでタイヤ周方向における向きが逆である。図３に示す例では、小ブロックＢ１がタイヤ周方向に複数形成されている小ブロック列と、小ブロックＢ２がタイヤ周方向に複数形成されている小ブロック列とが、タイヤ赤道面ＣＬの一方側と他方側にそれぞれ形成されている。
【００４２】
以上に示すように、基本形態２に係る空気入りタイヤにおいても、周方向細溝のタイヤ幅方向における配設密度について改良を加えるとともに、幅方向細溝の形状について改良を加えている。その結果、本実施の形態（基本形態２）に係る空気入りタイヤによっても、特に、氷上での制動性能と、雪上での制動性能と、排水性能とをバランス良く改善することができる。
【００４３】
＜付加的形態＞
次に、本発明に係る空気入りタイヤの上記基本形態に対して、任意選択的に実施可能な、付加的形態１から８を説明する。
【００４４】
[付加的形態１]
基本形態においては、図１、３のそれぞれにおいて、幅方向細溝２２が、０．０４本／ｍｍ以上０．３本／ｍｍ以下のタイヤ周方向密度で配設されていること（付加的形態１）が好ましい。
【００４５】
ここで、幅方向細溝２２のタイヤ周方向密度とは、タイヤ周方向の単位長さ当たりの、幅方向細溝２２の配設本数を意味する。
【００４６】
幅方向細溝２２を、０．０４本／ｍｍ以上の周方向密度で配設することで、各小ブロックＢ１、Ｂ２のタイヤ幅方向長さを、いずれも、そのタイヤ周方向長さに対して過度に小さくすることを抑制することができる。これにより、小ブロックＢ１、Ｂ２のタイヤ幅方向への倒れ込みを抑制して、タイヤ幅方向の外力に対する抗力を十分に確保して、氷上での旋回性能及び雪上での旋回性能を改善することができる。
【００４７】
一方、幅方向細溝２２を、０．３本／ｍｍ以下の周方向密度で配設することで、小ブロックＢ１、Ｂ２に形成されるタイヤ周方向に延在するエッジを十分に確保することができる。これにより、タイヤ幅方向の外力に対する抗力を高め、ひいては氷上での旋回性能及び雪上での旋回性能を改善することができる。
【００４８】
[付加的形態２]
基本形態及び基本形態に付加的形態１を加えた形態においては、図１、３のそれぞれにおいて、図２に示す第３の部分２２３の面積が、４ｍｍ２以上４０ｍｍ２以下であること（付加的形態２）が好ましい。
【００４９】
第３の部分の面積を４ｍｍ２以上とすることで、小ブロックＢ１がタイヤ周方向に倒れ込んだ際にも、タイヤ周方向に隣り合う小ブロックＢ１、Ｂ１同士（小ブロックＢ２、Ｂ２同士）の間には、隙間が十分に残存することで、より高い雪柱せん断力が確保され、雪上での制動性能を改善することができる。
【００５０】
一方、第３の部分の面積を４０ｍｍ２以下とすることで、小ブロック列の陸部剛性を十部に確保し、ひいては氷上での制動性能を改善することができる。
【００５１】
[付加的形態３]
基本形態及び基本形態に付加的形態１、２の少なくともいずれかを加えた形態においては、図１、３のそれぞれにおいて、図２に示す第３の部分２２３が、小ブロック列のタイヤ幅方向領域の中央部８０％の領域に存在すること（付加的形態３）が好ましい。
【００５２】
ここで、各小ブロックＢ１、Ｂ２のタイヤ幅方向領域の中央部８０％の領域とは、例えば小ブロックＢ１については、図２に示すように、そのタイヤ幅方向の一方側の端部から他方側の端部までのタイヤ幅方向領域Ｒ内における、タイヤ幅方向の中央部８０％の領域ＲＣをいう。なお、図３に示す小ブロックＢ２についても、タイヤ幅方向領域の中央部８０％の領域についての解釈は、小ブロックＢ１の場合と同じである。
【００５３】
図２に示す小ブロックＢ１の蹴り出し側の頂点Ａ及び踏み込み側の頂点Ａ´のいずれかを領域ＲＣに存在させた場合には、第３の部分２２３と周方向細溝１８（又は周方向主溝１４）との間に、ある程度の距離（第１の部分２２１及び第２の部分２２２の延在方向距離の総和）が保たれる。このため、第３の部分２２３を取り囲む陸部の剛性を比較的高くすることができ、小ブロックＢ１がタイヤ周方向に倒れ込んだ際にも、上記陸部によって雪柱を確実に形成し、さらには当該雪柱をタイヤ外部に押し出すことができる。このようなメカニズムの下、本実施の形態においては、雪柱せん断力を効率的に与えて、雪上での制動性能を改善することができる。
【００５４】
なお、図２に示す例では、小ブロックＢ１の蹴り出し側の頂点Ａ（踏み込み側蹴り出し側の頂点Ａ´）のみならず、頂点Ａ´（頂点Ａ）についても、タイヤ幅方向領域の中央部８０％の領域に存在することがより好ましい。この場合には、第３の部分２２３と周方向細溝１８（又は周方向主溝１４）との間の距離（第１の部分２２１及び第２の部分２２２の延在方向距離の総和）がさらに大きくなる。このため、第３の部分２２３を取り囲む陸部の剛性をさらに高くすることができ、雪柱せん断力をさらに効率的に与えて、雪上での制動性能を一層改善することができる。
【００５５】
また、図２に示す第３の部分２２３を、小ブロック列のタイヤ幅方向領域の中央部５０％の領域に存在させることで、上記効果をさらに高いレベルで奏することができる。
【００５６】
[付加的形態４]
基本形態及び基本形態に付加的形態１から３の少なくともいずれかを加えた形態においては、図１、３のそれぞれにおいて、図２に示す第３の部分２２３について、タイヤ周方向最大寸法がタイヤ幅方向最大寸法以上であること（付加的形態４）が好ましい。
【００５７】
第３の部分２２３について、タイヤ周方向最大寸法をタイヤ幅方向最大寸法以上とすることで、第３の部分２２３のタイヤ周方向寸法を十分に確保することができ、各雪柱のせん断される寸法がより長くなる。これにより、雪上での駆動性能及び制動性能に影響を及ぼす、雪との間の摩擦力を十分に確保することができる。その結果、雪柱せん断力を高めて、雪上での制動性能を改善することができる。
【００５８】
なお、本実施の形態においては、図２に示す第３の部分２２３を多角形の一部とすることができる。これにより、第３の部分２２３を取り囲む陸部の曲げ剛性を十分に確保して、雪上での制動性能及び氷上での制動性能をさらに改善することができる。特に、雪上での制動性能については、第３の部分２２３を多角形の一部とすることで、雪柱のタイヤ外部への押し出しをさらに容易に行うことができる。
【００５９】
[付加的形態５]
基本形態及び基本形態に付加的形態１から４の少なくともいずれかを加えた形態においては、図１、３のそれぞれにおいて、周方向細溝１８の溝幅が、１．０ｍｍ以上４．０ｍｍ以下であること（付加的形態５）が好ましい。ここで、周方向細溝１８の溝幅とは、周方向細溝１８の延在方向に垂直な方向に測った溝寸法をいう。
【００６０】
周方向細溝１８の溝幅を１．０ｍｍ以上とすることで、氷上での排水性能をさらに高めることができる。一方、上記溝幅を４．０ｍｍ以下とすることで、タイヤ幅方向の外力が加わった場合に、共通の周方向細溝１８によって区画形成された、タイヤ幅方向に隣り合う小ブロック同士（図１に示す例では小ブロックＢ１同士、図３に示す例では小ブロックＢ１同士或いは小ブロックＢ１、Ｂ２）が接触して互いに支え合う。これにより、小ブロックＢ１、Ｂ２のタイヤ幅方向への倒れ込みが抑制され、氷上での旋回性能及び雪上での旋回性能をさらに改善することができる。
【００６１】
なお、周方向細溝１８の溝幅を２．０ｍｍ以上３．０ｍｍ以下とすることで、上記効果をそれぞれさらに高いレベルで奏することができる。
【００６２】
[付加的形態６]
基本形態及び基本形態に付加的形態１から５の少なくともいずれかを加えた形態においては、図１、３のそれぞれにおいて、幅方向細溝２２の溝幅が、１．０ｍｍ以上７．０ｍｍ以下であること（付加的形態６）が好ましい。ここで、幅方向細溝２２の溝幅とは、幅方向細溝２２の延在方向に垂直な方向に測った溝寸法をいう。
【００６３】
幅方向細溝２２の溝幅を１．０ｍｍ以上とすることで、氷上での排水性能をさらに高めることができるのみならず、雪上においては雪柱せん断力が高まり、雪上での制動性能をさらに改善することができる。一方、幅方向細溝２２の溝幅を７．０ｍｍ以下とすることで、特に、タイヤ周方向の外力が加わった際に、小ブロックＢ１、Ｂ１（小ブロックＢ２、Ｂ２）が接触して互いに支え合う。これにより、小ブロックＢ１、Ｂ２のタイヤ周方向への倒れ込みが抑制され、氷上での制動性能及び雪上での制動性能がさらに改善される。
【００６４】
なお、幅方向細溝２２の溝幅を２．０ｍｍ以上３．０ｍｍ以下とすることで、上記効果をそれぞれさらに高いレベルで奏することができる。
【００６５】
[付加的形態７]
基本形態及び基本形態に付加的形態１から６の少なくともいずれかを加えた形態においては、図１（図３）において、タイヤ周方向に隣接する小ブロックＢ１、Ｂ１（小ブロックＢ２、Ｂ２）が、同一のタイヤ周方向領域を有すること（付加的形態７）が好ましい。
【００６６】
図４は、図１又は図３に示す空気入りタイヤにおける、タイヤ周方向に隣り合う小ブロックＢ１、Ｂ１（Ｂ２、Ｂ２）の関係を示す平面図である。図４中、（ａ）は小ブロック同士が同一のタイヤ周方向領域を有さない場合であり、（ｂ）は小ブロック同士が同一のタイヤ周方向領域を有する場合である。これらの図中、小ブロックＢ１（Ｂ１１、Ｂ１２、Ｂ１３、Ｂ１４）以外の領域は小ブロックＢ１を区画形成する溝の領域を示す。なお、図４に示す例は図１の小ブロックＢ１についての例であるが、以下に示す小ブロックＢ１についての説明は、図３に示す小ブロックＢ２についても当てはまる。
【００６７】
図４（ａ）に示す例では、タイヤ周方向に異方性を有する矢羽状の小ブロックＢ１１の矢羽後端部と、タイヤ周方向に異方性を有する矢羽状の小ブロックＢ１２の矢羽先端部と、の間のタイヤ周方向領域（同図においてタイヤ周方向線分Ｘがタイヤ幅方向に連なる領域）には、溝のみが存在する。即ち、図４（ａ）に示す例では、これら小ブロックＢ１１、Ｂ１２が同一のタイヤ幅方向領域を有しない。
【００６８】
これに対し、図４（ｂ）に示す例では、タイヤ周方向に異方性を有する矢羽状の小ブロックＢ１３の矢羽後端部と、タイヤ周方向に異方性を有する矢羽状の小ブロックＢ１４の矢羽先端部と、の間のタイヤ周方向領域（同図においてタイヤ周方向線分Ｙがタイヤ幅方向に連なる領域）には、溝のみならず、小ブロックＢ１３、Ｂ１４の一部も存在する。即ち、図４（ｂ）に示す例では、これら小ブロックＢ１３、Ｂ１４が同一のタイヤ周方向領域を有する。
【００６９】
本実施の形態（付加的形態７）では、図４（ｂ）に示す形態が想定されている。同図に示す例は、図４（ａ）に示す例と比較して、小ブロックＢ１３、Ｂ１４間に介在する溝のタイヤ周方向寸法が小さい。このため、小ブロックＢ１３、Ｂ１４にタイヤ周方向の外力が加わると、小ブロックＢ１３、Ｂ１４がこれらの間に介在する領域において接触して互いに支え合う。これにより、小ブロックＢ１３、Ｂ１４のタイヤ周方向への倒れ込みがさらに抑制され、氷上での制動性能及び雪上での制動性能がさらに改善される。
【００７０】
同様に、図４（ｂ）に示す例では、図４（ａ）に示す例と比較して、小ブロックＢ１３、Ｂ１４間に介在する溝のタイヤ幅方向寸法（タイヤ幅方向に連続して延在する寸法）が小さい。このため、小ブロックＢ１３、Ｂ１４にタイヤ幅方向の外力が加わると、小ブロックＢ１３、Ｂ１４がこれらの間に介在する領域において互いに支え合う。これにより、小ブロックＢ１３、Ｂ１４のタイヤ幅方向への倒れ込みがさらに抑制され、氷上での旋回性能及び雪上での旋回性能がさらに改善される。
【００７１】
[付加的形態８]
基本形態及び基本形態に付加的形態１から７の少なくともいずれかを加えた形態においては、図１、３のそれぞれにおいて、小ブロックＢ１、Ｂ２の少なくともいずれかに、少なくとも１本のサイプが形成されていること（付加的形態８）が好ましい。ここで、サイプとは、溝幅が０．４ｍｍ以上１．０ｍｍ未満の溝をいう。
【００７２】
小ブロックＢ１、Ｂ２の少なくともいずれかに、少なくとも１本のサイプを形成することで、複数の小ブロックからなる小ブロック群にさらに多くのエッジを持たせることができる。これにより、サイプ形成によるエッジがタイヤ周方向成分を多く含む場合には、タイヤ幅方向の外力に対する抗力がさらに高まり、氷上での旋回性能及び雪上での旋回性能を大幅に高めることができる。一方、サイプ形成によるエッジがタイヤ幅方向成分を多く含む場合には、タイヤ周方向の外力に対する抗力がさらに高まり、氷上での制動性能及び雪上での制動性能を大幅に高めることができる。
【００７３】
図５は、図２に示す小ブロックＢ１について、サイプの配設態様を示す平面図であり、（ａ）はサイプＳ１がタイヤ幅方向に延在する例であり、（ｂ）はサイプＳ２が幅方向細溝２２に平行に延在する例である。本実施の形態において、サイプの配設態様は、特に限定されない。例えば、図５（ａ）に示すように、サイプＳ１をタイヤ幅方向に延在させた場合には、サイプ形成によるエッジのタイヤ幅方向成分が最大となるため、タイヤ周方向の外力に対する抗力が最大となり、氷上での制動性能及び雪上での制動性能を極めて高くすることができる。また、図５（ｂ）に示すように、サイプＳ２を幅方向細溝２２と平行に延在させた場合には、サイプＳ２によって分割される、２つの小ブロック片Ｂ１ａと小ブロック片Ｂ１ｂとについて、タイヤ周方向の蹴り出し側の形状を同一とすることができる。これにより、小ブロック片Ｂ１ａと小ブロック片Ｂ１ｂとが、タイヤ周方向からの外力及びダイヤ幅方向からの外力に対して、いずれも、同じような動きをする。このため、サイプＳ２近傍における局所的なヒールアンドトゥ摩耗等の偏摩耗を抑制してタイヤの耐久性能をさらに高めることができる。
【実施例】
【００７４】
タイヤサイズを１９５／６５Ｒ１５とし、図１、３に示すいずれかのトレッドパターンを有するとともに、表１に示す諸条件（１−１）から（９）、即ち
（１−１）周方向細溝のタイヤ幅方向配設密度（周方向細溝密度）、
（１−２）幅方向細溝が所定の第１の部分、第２の部分及び第３の部分を有するか否か（幅方向細溝の構成）、
（１−３）第１の部分と第２の部分とのなす角度、
（１−４）第３の部分において第１の部分及び第２の部分の延長領域に対して突出する領域の、突出する向き（第３の部分の突出する向き）、
（２）幅方向細溝のタイヤ周方向配設密度（幅方向細溝密度）、
（３）第３の部分の面積、
（４）小ブロック列のタイヤ幅方向領域における、第３の部分の存在領域（第３の部分のタイヤ幅方向存在領域）、
（５）第３の部分における、タイヤ周方向最大寸法Ｈ１とタイヤ幅方向寸法Ｈ２との大小関係（寸法Ｈ１、Ｈ２の関係）
（６）周方向細溝の溝幅、
（７）幅方向細溝の溝幅、
（８）タイヤ周方向に隣接する小ブロック同士が同一のタイヤ周方向領域を有するか否か（タイヤ周方向同一領域の有無）、及び
（９）小ブロックに少なくとも１本のサイプが形成されているか否か（サイプの有無）
に従い、実施例１から実施例１８の空気入りタイヤを作製した。なお、図１に示す例は、タイヤの回転方向が指定された例であり、図３に示す例は、タイヤの回転方向が指定されていない例である。
【００７５】
これに対し、タイヤサイズを１９５／６５Ｒ１５とし、幅方向細溝が屈曲部を持たずにタイヤ幅方向に直線状に延在すること以外は、実施例１のトレッパターンと同じトレッドパターンを有する従来例の空気入りタイヤを作製した。
【００７６】
このよう作製した、実施例１から実施例１８及び従来例の各試験タイヤを、１５ｘ６Ｊのリムに空気圧２２０ｋＰａで組み付け、排気量１５００ＣＣのセダン型車両に装着し、氷上での制動性能と、雪上での制動性能と、排水性能とについて評価を行った。これらの結果を表１に併記する。
【００７７】
（氷上での制動性能）
氷盤路面において、時速４０ｋｍで走行した状態からの制動距離を測定して従来例を基準（１００）とした指数評価を行った。この評価は、数値が大きいほど、氷上での制動性能が優れていることを示す。
【００７８】
（雪上での制動性能）
圧雪路面において、時速４０ｋｍで走行した状態からの制動距離を測定して従来例を基準（１００）とした指数評価を行った。この評価は、数値が大きいほど、雪上での制動性能が優れていることを示す。
【００７９】
（排水性能）
水深５ｍｍのウェット路面を停止から加速して行く過程において、タイヤのグリップがなくなりタイヤが空転したときの速度を計測して従来例を基準（１００）とした指数評価を行った。この評価は、数値が大きいほど、排水性能が優れていることを示す。
【００８０】
【表１】
2015048045.tif 000003
【００８１】
なお、表１中、項目「タイヤ周方向同一領域の有無」において、「無し」とは、図４（ａ）における寸法Ｘが１．０ｍｍの場合であり、「有り」とは、図４（ｂ）における寸法Ｙが０．１ｍｍの場合である。さらに、項目「サイプの有無」において、「有り」とは、図５（ｂ）に示すような形状のサイプＳ２を各小ブロックに形成した場合である。
【００８２】
表１によれば、本発明の技術的範囲に属する（周方向細溝密度と、幅方向細溝の構成と、第１の部分と第２の部分とのなす角度と、第３の部分の突出する向きについて所定の改良を加えた）実施例１から実施例１８の空気入りタイヤについては、いずれも、本発明の技術的範囲に属しない、従来例の空気入りタイヤよりも、氷上での制動性能と、雪上での制動性能と、排水性能とがバランス良く改善されていることが判る。
【００８３】
本発明は以下の態様を包含する。
【００８４】
（１）周方向主溝を有するとともに、複数の周方向細溝と、上記周方向細溝と交差する複数の幅方向細溝と、により小ブロック列が区画形成された空気入りタイヤにおいて、上記周方向細溝が、０．０６本／ｍｍ以上０．２本／ｍｍ以下のタイヤ幅方向密度で配設され、上記幅方向細溝が、各小ブロック列のタイヤ幅方向両端部からタイヤ周方向の同じ向きに延在する第１の部分と第２の部分とを有するとともに、上記第１の部分及び上記第２の部分の双方と連なる第３の部分を有し、上記第１の部分と上記第２の部分とが、４０°以上１６０°以下の角度をなし、上記第３の部分が、上記第１の部分及び上記第２の部分の延長領域よりも、タイヤ周方向の少なくともいずれかの向きに突出した領域を有する、空気入りタイヤ。
【００８５】
（２）上記幅方向細溝が、０．０４本／ｍｍ以上０．３本／ｍｍ以下のタイヤ周方向密度で配設されている、上記（１）に記載の空気入りタイヤ。
【００８６】
（３）上記第３の部分の面積が、４ｍｍ２以上４０ｍｍ２以下である、上記（１）又は（２）に記載の空気入りタイヤ。
【００８７】
（４）上記第３の部分が、上記小ブロック列のタイヤ幅方向領域の中央部８０％の領域に存在する、上記（１）から（３）のいずれか１つに記載の空気入りタイヤ。
【００８８】
（５）上記第３の部分について、タイヤ周方向最大寸法がタイヤ幅方向最大寸法以上である、上記（１）から（４）のいずれか１つに記載の空気入りタイヤ。
【００８９】
（６）上記周方向細溝の溝幅は、１．０ｍｍ以上４．０ｍｍ以下ある、上記（１）から（５）のいずれか１つに記載の空気入りタイヤ。
【００９０】
（７）上記幅方向細溝の溝幅は、１．０ｍｍ以上７．０ｍｍ以下である、上記（１）から（６）のいずれか１つに記載の空気入りタイヤ。
【００９１】
（８）タイヤ周方向に隣接する上記小ブロック同士が、同一のタイヤ周方向領域を有する、上記（１）から（７）のいずれか１つに記載の空気入りタイヤ。
【００９２】
（９）上記小ブロックの少なくともいずれかに、少なくとも１本のサイプが形成されている、上記（１）から（８）のいずれか１つに記載の空気入りタイヤ。
【符号の説明】
【００９３】
１、２    空気入りタイヤ
１０、１１    トレッド部
１２、１３    トレッド表面
１４    周方向主溝
１８、１８ａ、１８ｂ    周方向細溝
２２、２２ａ、２２ｂ    幅方向細溝
Ａ、Ａ´    小ブロックＢ１の頂点
Ｂ１、Ｂ２、Ｂ１１、Ｂ１２、Ｂ１３、Ｂ１４    小ブロック
Ｂ１ａ、Ｂ１ｂ    小ブロック片
ＣＬ    タイヤ赤道面
Ｅ    接地端
Ｌ    タイヤ幅方向領域Ｒ内におけるタイヤ幅方向の中心線
Ｒ    小ブロックＢ１のタイヤ幅方向の一方側の端部から他方側の端部までのタイヤ幅方向領域
ＲＣ    タイヤ幅方向領域Ｒ内における、タイヤ幅方向の中央部８０％の領域
Ｓ１、Ｓ２    サイプ
Ｘ    小ブロックＢ１１の矢羽後端部と小ブロックＢ１２の矢羽先端部との間のタイヤ周方向領域
Ｙ    小ブロックＢ１３の矢羽後端部と小ブロックＢ１４の矢羽先端部との間のタイヤ周方向領域
【図１】
2015048045.tif 000004
【図２】
2015048045.tif 000005
【図３】
2015048045.tif 000006
【図４】
2015048045.tif 000007
【図５】
2015048045.tif 000008